(57)【要約】【課題】比較的簡単な構成で、演奏の始めから終わりまで、演奏音を確実かつ滑らかに録音することができるアコースティックピアノの録音装置を提供する。【解決手段】アコースティックピアノ２から放音された演奏音を収音し、楽音信号ＳＬ，ＳＲに変換した後、出力するマイクロホン１１Ｌ，１１Ｒと、楽音信号ＳＬ，ＳＲの出力の開始時から楽音信号ＳＬ，ＳＲのレベルＬ０をより小さな第１所定値から徐々に増幅させるフェードイン処理と、楽音信号ＳＬ，ＳＲの出力の終了時よりも第２所定時間ＴＭＲＥＦ前から楽音信号ＳＬ，ＳＲのレベルＬ０をより小さな第２所定値に向かって徐々に減衰させるフェードアウト処理との少なくとも一方の処理を施すフェードイン・フェードアウト処理手段１４と、少なくとも一方の処理が施された楽音信号ＳＬ，ＳＲを含む楽音信号ＳＬ，ＳＲを記録する記録手段１５と、を備える。【選択図】図３
2008299889.tif 000002
【特許請求の範囲】
【請求項１】
アコースティックピアノから放音されたアコースティックな演奏音を録音するアコースティックピアノの録音装置であって、
前記放音された演奏音を収音し、楽音信号に変換するとともに、当該楽音信号を出力するマイクロホンと、
前記楽音信号の出力の開始時から第１所定時間が経過するまでの間、前記楽音信号のレベルをより小さな第１所定値から徐々に増幅させるフェードイン処理と、前記楽音信号の出力の終了時よりも第２所定時間前から前記出力の終了時までの間、前記楽音信号のレベルをより小さな第２所定値に向かって徐々に減衰させるフェードアウト処理との少なくとも一方の処理を施すフェードイン・フェードアウト処理手段と、
前記少なくとも一方の処理が施された楽音信号を含む楽音信号を記録する記録手段と、
を備えることを特徴とするアコースティックピアノの録音装置。
【発明の詳細な説明】
【技術分野】
【０００１】
本発明は、グランド型やアップライト型のアコースティックピアノから放音されたアコースティックな演奏音を録音するアコースティックピアノの録音装置に関する。
【背景技術】
【０００２】
本出願人は、この種の録音装置を、例えば特願２００６−２２０１０６号（公開公報は未発行）ですでに提案している。この録音装置は、ゲート回路、バッファメモリおよびピックアップなどで構成されている。この録音装置では、録音ボタンを操作した後、アコースティックピアノを演奏すると、それから放音されたアコースティックな演奏音を表す音声信号がゲート回路に入力される。ゲート回路は、演奏の開始時には、音声信号のレベルが所定の第１しきい値を上回ったときに、音声信号をバッファメモリに出力する。また、第１しきい値を上回った後には、第１しきい値よりも小さな第２しきい値を下回ったときに、バッファメモリへの音声信号の出力を停止する。ゲート回路から出力された音声信号はバッファメモリに一時的に記憶された後、ピックアップによってＣＤに記録され、それにより、演奏音が録音される。
【０００３】
以上のように、上記の録音装置では、第１しきい値と第２しきい値の間にヒステリシスを設けることによって、バッファメモリへの音声信号の出力およびその停止の頻繁な繰り返しを防止し、それにより、演奏音を滑らかに録音するようにしている。
【０００４】
しかし、上記の録音装置は、演奏音をより滑らかに録音するという点で改善の余地がある。すなわち、この録音装置では、演奏が開始されても、音声信号のレベルが第１しきい値を超えない限り、音声信号がバッファメモリに出力されないので、演奏開始時に演奏音が途中から録音されることがある。同じ理由により、無音状態から、第１しきい値に相当する比較的大きな音量の演奏音が急に録音されるので、録音された演奏音に滑らかさがなくなり、録音を良好に行うことができない。
【０００５】
上記とは逆に、演奏の終了時などに音声信号のレベルが第２しきい値を下回ると、音声信号の出力が停止されるので、それにより、録音が途絶えることがあるとともに、第２しきい値に相当する音量から急に無音状態になるため、やはり録音された演奏音に滑らかさがなくなる。このような不具合は、例えば残響が比較的大きい大ホールなどでのライブ演奏を録音する場合、残響を録音しにくくなるため、特に顕著になり、録音された演奏音には、ライブ演奏による臨場感がなくなる。
【０００６】
また、複数の楽曲を若干の時間をおいて連続して演奏する場合にも、前の楽曲の終了時と次の楽曲の開始時に途切れた状態で録音されるので、同様の不具合が生じる。
【０００７】
本発明は、このような課題を解決するためになされたものであり、比較的簡単な構成で、演奏の始めから終わりまで、演奏音を確実かつ滑らかに録音することができるアコースティックピアノの録音装置を提供することを目的とする。
【発明の開示】
【課題を解決するための手段】
【０００８】
この目的を達成するため、請求項１に係る発明は、アコースティックピアノから放音されたアコースティックな演奏音を録音するアコースティックピアノの録音装置であって、放音された演奏音を収音し、楽音信号に変換するとともに、楽音信号を出力するマイクロホンと、楽音信号の出力の開始時から第１所定時間が経過するまでの間、楽音信号のレベルをより小さな第１所定値から徐々に増幅させるフェードイン処理と、楽音信号の出力の終了時よりも第２所定時間前から出力の終了時までの間、楽音信号のレベルをより小さな第２所定値に向かって徐々に減衰させるフェードアウト処理との少なくとも一方の処理を施すフェードイン・フェードアウト処理手段と、少なくとも一方の処理が施された楽音信号を含む楽音信号を記録する記録手段と、を備えることを特徴とする。
【０００９】
このアコースティックピアノの録音装置によれば、アコースティックピアノから放音された演奏音は、マイクロホンによって収音され、楽音信号に変換された後、出力される。この楽音信号には、その出力の開始時から第１所定時間が経過するまでの間、楽音信号のレベルをより小さな第１所定値から徐々に増幅させるフェードイン処理、および楽音信号の出力の終了時よりも第２所定時間前から出力の終了時までの間、楽音信号のレベルをより小さな第２所定値に向かって徐々に減衰させるフェードアウト処理との少なくとも一方の処理が施される。そして、そのようなフェードイン処理および／またはフェードアウト処理が施された楽音信号を含む楽音信号を記録することによって、演奏音が録音される。
【００１０】
以上のように、マイクロホンからの出力の開始時から終了時まで、すべての楽音信号を記録するので、演奏の始めから終わりまで演奏音を確実に録音することができる。
【００１１】
また、演奏の開始時には、フェードイン処理を施すことによって、録音される演奏音に、その音量が徐々に大きくなるフェードイン効果が付与されるので、演奏音を滑らかに録音することができる。一方、演奏の終了時には、フェードアウト処理を施すことによって、録音される演奏音に、その音量が徐々に小さくなるフェードアウト効果が付与されるので、演奏音を滑らかに録音することができる。また、ライブ演奏の場合には、臨場感のある演奏音を録音することができる。
【００１２】
さらに、複数の楽曲を演奏する場合にも、楽曲間を滑らかにつなぎながら録音することができる。また、楽音信号にフェードイン処理および／またはフェードアウト処理を施すだけなので、比較的簡単な構成で上述した作用を得ることができる。
【発明を実施するための最良の形態】
【００１３】
以下、図面を参照しながら、本発明の好ましい実施形態を詳細に説明する。図１は、本発明の実施形態による録音装置１をグランドピアノ２（アコースティックピアノ）とともに示している。なお、以下の説明では、グランドピアノ２を演奏者から見た場合の手前側を「前」、奥側を「後」とし、さらに左側および右側をそれぞれ「左」および「右」として、説明を行うものとする。
【００１４】
グランドピアノ２は、その外形を形成する側板３と、側板３の前部の下部間に水平に固定された棚板４と、張設された弦（図示せず）を支持する支柱組立品（図示せず）と、支柱組立品の上面に取り付けられた響板（図示せず）などを備えている。
【００１５】
棚板４上には、複数（例えば８８個）の鍵５が設けられている。鍵５の後端部の上側にはアクション（図示せず）が配置されており、アクションの上側には、鍵５ごとにハンマー（図示せず）が設けられている。
【００１６】
このグランドピアノ２では、鍵５が押鍵されるとアクションが作動し、それにより回動したハンマーが弦を打弦することにより振動させ、この弦の振動が響板に伝達され、響板が振動することによって、アコースティックな演奏音が放音される。
【００１７】
録音装置１は、演奏音を録音するとともに、録音した演奏音を再生するためのものである。図２に示すように、録音装置１は、放音された演奏音を収音する左右のチャンネル用のマイクロホン１１Ｌ，１１Ｒ、収音した演奏音を録音する録音部７、および録音した演奏音を再生するスピーカ１７Ｌ，１７Ｒで構成されている。なお、スピーカ１７Ｌ，１７Ｒは、例えばグランドピアノ２の譜面台組立品６の左右の本支持左右板６Ｌ，６Ｒに配置されている（図１参照）。
【００１８】
録音部７は、録音機として一体に組み立てられており、演奏者の近くに置いて用いられる。録音部７は、Ａ／Ｄ変換器１２Ｌ，１２Ｒ、メモリ１３、処理回路１４（フェードイン・フェードアウト処理手段）、ＣＤ−Ｒドライブ１５（記録手段）、Ｄ／Ａ変換器１６Ｌ，１６Ｒおよび操作パネル１８で構成されている。
【００１９】
操作パネル１８には、録音スイッチ１８ａ、ポーズスイッチ１８ｂ、区切りスイッチ１８ｃおよび表示部（図示せず）などが設けられている。録音スイッチ１８ａは、演奏音を録音するときにＯＮ操作されるものであり、そのＯＮ／ＯＦＦ状態を表す信号を処理回路１４に出力する。この録音装置１では、録音スイッチ１８ａがＯＮ状態からＯＦＦ操作されたときに、録音が直ちに停止されるのではなく、その後、所定の遅延時間ＴＭＲＥＦ（例えば４．５ｓｅｃ）が経過したときに、録音が停止される。
【００２０】
ポーズスイッチ１８ｂは、録音スイッチ１８ａがＯＮ状態のとき、すなわち演奏音の録音中に、録音を一時的に停止するときにＯＮ操作されるものであり、そのＯＮ／ＯＦＦ状態を表す信号を処理回路１４に出力する。ポーズスイッチ１８ｂがＯＮ操作されると、録音スイッチ１８ａがＯＦＦ操作された場合と同様、遅延時間ＴＭＲＥＦが経過したときに録音が一時的に停止され、その後、ＯＦＦ操作されたときに、一時停止が解除され、録音が再開される。
【００２１】
区切りスイッチ１８ｃは、複数の楽曲を録音する場合、各楽曲の終了時にそのことを指示するためにＯＮ操作されるものであり、そのＯＮ／ＯＦＦ状態を表す信号を処理回路１４に出力する。区切りスイッチ１８ｃがＯＮ操作されると、その後、遅延時間ＴＭＲＥＦが経過したときに録音中の楽曲の録音が終了されるとともに、楽曲の曲番号が更新される。
【００２２】
マイクロホン１１Ｌ，１１Ｒはそれぞれ、放音された演奏音を収音し、アナログの楽音信号ＳＬ，ＳＲに変換するためのものであり、最低音側および最高音側の支柱組立品の支柱（図示せず）の前端部に取り付けられている。マイクロホン１１Ｌ，１１Ｒは、例えばダイナミックマイクロホンで構成されており、電磁コイルと、電磁コイルに連結された振動板（ともに図示せず）などを備えている。各振動板は、響板から放音された演奏音によって振動し、その振幅に比例した起電力が電磁コイルに生じる。以上の構成により、左チャンネルのマイクロホン１１Ｌから、低音域成分を多く含む楽音信号ＳＬが、右チャンネルのマイクロホン１１Ｒから、高音域成分を多く含む楽音信号ＳＲが、録音部７のＡ／Ｄ変換器１２Ｌ，１２Ｒに出力される。
【００２３】
Ａ／Ｄ変換器１２Ｌ，１２Ｒは、マイクロホン１１Ｌ，１１Ｒから出力されたアナログの楽音信号ＳＬ，ＳＲをデジタルの楽音信号ＳＬＤ，ＳＲＤに変換した後、メモリ１３に出力する。
【００２４】
メモリ１３は、例えば２つの記憶領域を有しており、その一方の記憶領域に楽音信号ＳＬＤが記憶され、他方の記憶領域に楽音信号ＳＲＤが記憶される。また、これらの記憶領域には、処理回路１４から出力される後述のタイマ値ＴＭも併せて記憶される。その結果、楽音信号ＳＬＤ，ＳＲＤにはその出力順にタイマ値ＴＭが割り振られ、このタイマ値ＴＭと楽音信号ＳＬＤ，ＳＲＤによって、録音時間情報を有する楽音信号ＳＬＴ，ＳＲＴが生成され、記憶される。また、メモリ１３には、タイマ値ＴＭに基づき、処理回路１４から、録音スイッチ１８ａおよびポーズスイッチ１８ｂのＯＦＦ操作時間や、ポーズスイッチ１８ｂおよび区切りスイッチ１８ｃのＯＮ操作時間を表す信号が出力され、記憶される。
【００２５】
処理回路１４は、アップカウント式のタイマ（図示せず）を有しており、録音スイッチ１８ａがＯＮ操作されると、タイマをスタートさせるとともに、そのタイマ値ＴＭをメモリ１３に出力する。また、処理回路１４は、メモリ１３から録音時間情報を含む楽音信号ＳＬＴ，ＳＲＴを読み出し、ＣＤ−Ｒドライブ１５に出力する。なお、楽音信号ＳＬＴ，ＳＲＴの読出しは、録音スイッチ１８ａがＯＮ操作された後、ＯＦＦ操作から遅延時間ＴＭＲＥＦが経過するまでの間、所定時間ごとに行われる。また、処理回路１４は、楽音信号ＳＬＴ，ＳＲＴにフェードイン処理およびフェードアウト処理を施す。
【００２６】
ＣＤ−Ｒドライブ１５は、楽音信号ＳＬＴ，ＳＲＴをＣＤ−Ｒ１５ａに記録し、これにより、演奏音が録音される。
【００２７】
また、録音した演奏音を再生する場合には、再生スイッチ（図示せず）をＯＮ操作することによって、ＣＤ−Ｒドライブ１５がＣＤ−Ｒ１５ａから記録した楽音信号ＳＬＴ，ＳＲＴを読み出し、Ｄ／Ａ変換器１６Ｌ，１６Ｒにそれぞれ出力する。楽音信号ＳＬＴ，ＳＲＴは、Ｄ／Ａ変換器１６Ｌ，１６Ｒでアナログの楽音信号ＳＬＡ，ＳＲＡに変換された後、スピーカ１７Ｌ，１７Ｒで再生され、演奏音として放音される。
【００２８】
図３は、処理回路１４で実行される上述した処理を示すフローチャートである。なお、本処理の内容は、左右のチャンネルの楽音信号ＳＬＴ，ＳＲＴに対して同じであるため、以下では、これらの楽音信号ＳＬＴ，ＳＲＴを総称して楽音信号ＳＴとし、その説明を行うものとする。
【００２９】
本処理では、まず、ステップ１（「Ｓ１」と図示。以下同じ）において、楽音信号ＳＴに含まれるタイマ値ＴＭが第１所定時間ＴＲＥＦ１以下であるか否かを判別する。この第１所定時間ＴＲＥＦ１は、前述した遅延時間ＴＭＲＥＦよりも小さな値（例えば２．５ｓｅｃ）に設定されている。この判別結果がＹＥＳで、録音スイッチ１８ａがＯＮ操作された後、第１所定時間ＴＲＥＦ１が経過していないときには、ステップ２および３において、楽音信号ＳＴにフェードイン処理を施した後、本処理を終了する。
【００３０】
このステップ２では、タイマ値ＴＭに応じ、図４に示すテーブルを検索することによって、フェードイン係数ＫＦＩを算出する。このテーブルでは、フェードイン係数ＫＦＩは、ＴＭ＝０のときに値０（第１所定値）に設定され、ＴＭ＝ＴＲＥＦ１のときに値１．０に設定され、その間は指数関数的に徐々に増加するように設定されている。
【００３１】
次に、ステップ３では、算出したフェードイン係数ＫＦＩを、メモリ１３から読み出した楽音信号ＳＴのレベル（以下「読出しレベル」という）Ｌ０に乗算することによって、ＣＤ−Ｒドライブ１５に出力される楽音信号ＳＴのレベル（以下「出力レベル」という）Ｌを算出する。以上により、タイマ値ＴＭが値０から第１所定時間ＴＲＥＦ１の間では、楽音信号ＳＴの出力レベルＬは、値０から読出しレベルＬ０まで徐々に増幅され、それにより、フェードイン処理が施される。
【００３２】
一方、前記ステップ１の判別結果がＮＯで、録音の開始時から第１所定時間ＴＲＥＦ１が経過したときには、タイマ値ＴＭが第２所定時間ＴＲＥＦ２よりも小さいか否かを判別する（ステップ４）。この第２所定時間ＴＲＥＦ２は、録音スイッチ１８ａがＯＦＦ操作された時間に相当する。
【００３３】
この判別結果がＹＥＳのときには、楽音信号ＳＴの出力レベルＬを読出しレベルＬ０に設定する通常処理を行った（ステップ５）後、本処理を終了する。
【００３４】
一方、ステップ４の判別結果がＮＯのときには、タイマ値ＴＭが第２所定時間ＴＲＥＦ２と遅延時間ＴＭＲＥＦとの和以下であるか否かを判別する（ステップ６）。
【００３５】
この判別結果がＹＥＳのとき、すなわち録音スイッチ１８ａがＯＦＦ操作されてから遅延時間ＴＭＲＥＦが経過していないときには、ステップ７および８において、楽音信号ＳＴにフェードアウト処理を施した後、本処理を終了する。
【００３６】
このステップ７では、タイマ値ＴＭと第２所定時間ＴＲＥＦ２との差（ＴＭ−ＴＲＥＦ２）に応じ、図５に示すテーブルを検索することによって、フェードアウト係数ＫＦＯを算出する。このテーブルでは、フェードアウト係数ＫＦＯは、ＴＭ−ＴＲＥＦ２＝０のとき、すなわち録音スイッチ１８ａがＯＦＦ操作されたタイミングで値１．０に設定され、その後、遅延時間ＴＭＲＥＦが経過したタイミングで値０（第２所定値）に設定され、その間は指数関数的に徐々に減少するように設定されている。
【００３７】
次に、ステップ８では、算出したフェードアウト係数ＫＦＯを楽音信号ＳＴの読出しレベルＬ０に乗算することによって、出力レベルＬを算出する。以上により、録音スイッチ１８ａがＯＦＦ操作されてから遅延時間ＴＭＲＥＦが経過するまでの間、楽音信号ＳＴの出力レベルＬは、読出しレベルＬ０から値０まで徐々に減衰され、それにより、フェードアウト処理が施される。
【００３８】
一方、前記ステップ６の判別結果がＮＯのときには、楽音信号ＳＴをＣＤ−Ｒドライブ１５に出力することなく、そのまま本処理を終了する。
【００３９】
なお、図には示さないが、ポーズスイッチ１８ｂがＯＮ／ＯＦＦ操作されたときおよび区切りスイッチ１８ｃがＯＮ操作されたときにも、上述したフェードイン・フェードアウト処理が同様に施される。具体的には、録音中にポーズスイッチ１８ｂがＯＮ操作されたときには、その後、遅延時間ＴＭＲＥＦが経過するまでの間、フェードアウト処理が施され、ポーズスイッチ１８ｂがＯＮ状態からＯＦＦ操作されたときには、その後、第１所定時間ＴＲＥＦ１が経過するまでの間、フェードイン処理が施される。
【００４０】
また、区切りスイッチ１８ｃがＯＮ操作されたときには、その後、遅延時間ＴＭＲＥＦが経過するまでの間、フェードアウト処理が施されるとともに、フェードアウト処理の終了時から第１所定時間ＴＲＥＦ１が経過するまでの間、フェードイン処理が施される。
【００４１】
図６は、図３の処理によって得られる楽音信号ＳＴの出力レベルＬの推移の一例を示している。まず、録音スイッチ１８ａがＯＮ操作され、演奏が開始されると（タイミングｔ０）、第１所定時間ＴＲＥＦ１が経過するまでの間（ｔ０〜ｔ１間）、楽音信号ＳＴにフェードイン処理が施される。これにより、楽音信号ＳＴの出力レベルＬは、値０から読出しレベルＬ０に向かって徐々に増幅され、フェードイン効果の付与された演奏音が録音される。
【００４２】
その後、録音スイッチ１８ａがＯＦＦ操作されない限り、楽音信号ＳＴに通常処理が施されることによって、出力レベルＬは、読出しレベルＬ０に設定される。
【００４３】
そして、録音スイッチ１８ａがＯＦＦ操作されると（ｔ２）、その後、遅延時間ＴＭＲＥＦが経過するまでの間（ｔ２〜ｔ３間）、楽音信号ＳＴにフェードアウト処理が施される。これにより、出力レベルＬは、読出しレベルＬ０から値０に向かって徐々に減衰され、フェードアウト効果の付与された演奏音が録音される。その後は、出力レベルＬは値０になるとともに、録音が終了される。
【００４４】
図７は、複数の楽曲の録音中に区切りスイッチ１８ｃがＯＮ操作された場合の楽音信号ＳＴの出力レベルＬの推移の一例を示している。この例においても、図６に示した例と同様、録音スイッチ１８ａのＯＮ操作後、第１所定時間ＴＲＥＦ１が経過するまでの間（ｔ１０〜ｔ１１間）、楽音信号ＳＴにフェードイン処理が施され、その後は、通常処理が施される。
【００４５】
そして、楽曲の終了時に区切りスイッチ２８ｃがＯＮ操作されると（ｔ１２）、その後、遅延時間ＴＭＲＥＦが経過するまでの間（ｔ１２〜ｔ１３間）、楽音信号ＳＴにフェードアウト処理が施される。また、このフェードアウト処理の終了と同時にフェードイン処理が開始され、その後、第１所定時間ＴＲＥＦ１が経過するまでの間（ｔ１３〜ｔ１４間）、楽音信号ＳＴにフェードイン処理が施される。
【００４６】
以上のように、本実施形態によれば、録音中には、マイクロホン１１Ｌ，１１Ｒで収音した演奏音を表すすべての楽音信号ＳＴを記録するので、演奏の始めから終わりまで演奏音を確実に録音することができる。
【００４７】
また、録音スイッチ１８ａがＯＮ操作された後、第１所定時間ＴＲＥＦ１が経過するまでの間、楽音信号ＳＴにフェードイン処理を施すとともに、録音スイッチ１８ａがＯＦＦ操作されてから遅延時間ＴＭＲＥＦが経過するまでの間、楽音信号ＳＴにフェードアウト処理を施すので、演奏音を滑らかに録音することができる。ライブ演奏の場合には、臨場感のある演奏音を録音することができる。
【００４８】
また、ポーズスイッチ１８ｂのＯＮ／ＯＦＦ操作、および区切りスイッチ１８ｃのＯＮ操作に伴って、楽音信号ＳＴにフェードイン・フェードアウト処理を施すので、録音を一時的に停止する場合や、複数の楽曲を演奏する場合にも、楽曲間を滑らかにつなぎながら録音することができる。さらに、楽音信号ＳＴにフェードイン処理およびフェードアウト処理を施すだけなので、比較的簡単な構成で上述した作用を得ることができる。
【００４９】
なお、本発明は、説明した実施形態に限定されることなく、種々の態様で実施することができる。例えば、実施形態では、楽音信号にフェードイン・フェードアウト処理の両方を施しているが、いずれか一方の処理を施してもよい。また、実施形態では、フェードイン処理とフェードアウト処理の実行時間（第１所定時間ＴＲＥＦ１、遅延時間ＴＭＲＥＦ）を互いに異ならせているが、互いに同じにしてもよく、あるいは、それらの長さを演奏者が任意に変更できるようにしてもよい。
【００５０】
さらに、実施形態では、フェードイン・フェードアウト処理を、録音スイッチなどの操作に伴って行っているが、これに限らず、他の条件に従って行ってもよい。例えば、フェードイン処理およびフェードアウト処理の実行を指示するための専用のスイッチを互いに別個にまたは共通に設け、それらのスイッチが操作されたときにフェードイン・フェードアウト処理を実行してもよい。
【００５１】
また、実施形態では、フェードイン・フェードアウト処理に用いられる第１および第２所定値を値０に設定しているが、これに限らず、読出しレベルよりも小さな他の値に設定してもよく、互いに異なる値に設定してもよい。
【００５２】
さらには、実施形態は、本発明をグランドピアノに適用した例であるが、本発明はこれに限らず、アップライトピアノに適用してもよいことは、もちろんである。その他、本発明の趣旨の範囲内で、細部を適宜、変更することが可能である。
【図面の簡単な説明】
【００５３】
【図１】本発明の実施形態による録音装置をグランドピアノとともに示した図である。
【図２】録音装置のブロック図である。
【図３】フェードイン・フェードアウト処理を示すフローチャートである。
【図４】図３の処理で用いられるフェードイン係数を算出するためのテーブルである。
【図５】図３の処理で用いられるフェードアウト係数を算出するためのテーブルである。
【図６】録音スイッチをＯＮ／ＯＦＦ操作したときの楽音信号の出力レベルの推移を示す図である。
【図７】区切りスイッチをＯＮ操作したときの楽音信号の出力レベルの推移を示す図である。
【符号の説明】
【００５４】
１  録音装置
２  グランドピアノ（アコースティックピアノ）
１１Ｌ  マイクロホン
１１Ｒ  マイクロホン
１４  処理回路（フェードイン・フェードアウト処理手段）
１５  ＣＤ−Ｒドライブ（記録手段）
ＳＬ  楽音信号
ＳＲ  楽音信号
ＳＬＴ  楽音信号
ＳＲＴ  楽音信号
ＴＲＥＦ１  第１所定時間
ＴＭＲＥＦ  遅延時間（第２所定時間）
【図１】
2008299889.tif 000003
【図２】
2008299889.tif 000004
【図３】
2008299889.tif 000005
【図４】
2008299889.tif 000006
【図５】
2008299889.tif 000007
【図６】
2008299889.tif 000008
【図７】
2008299889.tif 000009